(57)【要約】【課題】水中での高い光学性能を備えたフロントコンバータレンズ、該フロントコンバータレンズを備えた撮像装置、および該フロントコンバータレンズの製造方法を提供すること。【解決手段】マスターレンズの物体側に装着して用いられ、着脱可能なフロントコンバータレンズであって、最も物体側に配置された負レンズと最も像側に配置された正レンズとを有し、以下の条件を満足する。    １．００≦ν２−ν１≦２０．００  ただし、  ν１：前記負レンズの硝材の分散値  ν２：前記正レンズの硝材の分散値【選択図】図２
2015106025.tif 000002
【特許請求の範囲】
【請求項１】
マスターレンズの物体側に装着して用いられ、着脱可能なフロントコンバータレンズであって、
最も物体側に配置された負レンズと最も像側に配置された正レンズとを有し、
以下の条件を満足することを特徴とするフロントコンバータレンズ。
１．００≦ν２−ν１≦２０．００
ただし、
ν１：前記負レンズの硝材の分散値
ν２：前記正レンズの硝材の分散値
【請求項２】
以下の条件を満足することを特徴とする請求項１に記載のフロントコンバータレンズ。
｜ｆＣｎ／ｆＭ｜≦５．００
ただし、
ｆＣｎ：空気中における前記負レンズの焦点距離
ｆＭ：空気中における前記マスターレンズの焦点距離（ただし、前記マスターレンズがズームレンズの場合には、空気中における広角端状態での焦点距離）
【請求項３】
前記物体の周囲媒質は水であり、前記負レンズの物体側の面および前記正レンズの像側の面が前記水に接して用いられることを特徴とする請求項１または２に記載のフロントコンバータレンズ。
【請求項４】
以下の条件を満足することを特徴とする請求項１〜３の何れか一項に記載のフロントコンバータレンズ。
−０．１５≦ＴＬ／ｆＣ≦０．１５
ただし、
ＴＬ：前記フロントコンバータレンズの最も物体側のレンズ面から最も像側のレンズ面までの光軸上の距離
ｆＣ：水中における前記フロントコンバータレンズの焦点距離
【請求項５】
以下の条件を満足することを特徴とする請求項１〜４の何れか一項に記載のフロントコンバータレンズ。
０．４＜Ｄair／ＴＬ＜０．７
ただし、
ＴＬ：前記フロントコンバータレンズの最も物体側のレンズ面から最も像側のレンズ面までの光軸上の距離
Ｄair：前記フロントコンバータレンズを構成するレンズ間の光軸上の空気間隔の合計
【請求項６】
請求項１〜５の何れか一項に記載のフロントコンバータレンズを備えたことを特徴とする撮像装置。
【請求項７】
マスターレンズの物体側に装着して用いられ、着脱可能なフロントコンバータレンズの製造方法であって、
最も物体側に負レンズを配置し最も像側に正レンズを配置し、
以下の条件を満足するように構成することを特徴とするフロントコンバータレンズの製造方法。
１．００≦ν２−ν１≦２０．００
ただし、
ν１：前記負レンズの硝材の分散値
ν２：前記正レンズの硝材の分散値
【発明の詳細な説明】
【技術分野】
【０００１】
本発明は、水中でも用いることができるフロントコンバータレンズと、これを有する撮像装置、およびフロントコンバータレンズの製造方法に関し、特に、ワイドコンバータとしてのフロントコンバータレンズに関する。
【背景技術】
【０００２】
従来、水中での撮影は、例えば水陸両用のレンズを使用していた（例えば特許文献１参照）。
【先行技術文献】
【特許文献】
【０００３】
【特許文献１】特開平６−２４２３６９号公報
【発明の概要】
【発明が解決しようとする課題】
【０００４】
しかしながら、従来の水陸両用のレンズは、水中での光学性能が充分ではなく、水中で発生する収差を充分に補正していない。
【０００５】
本発明はこのような状況に鑑みてなされたものであり、水中での高い光学性能を備えたフロントコンバータレンズ、該フロントコンバータレンズを備えた撮像装置、および該フロントコンバータレンズの製造方法を提供することを目的とする。
【課題を解決するための手段】
【０００６】
上記目的を達成するために、本発明に係るフロントコンバータレンズは、マスターレンズの物体側に装着して用いられ、着脱可能なフロントコンバータレンズであって、最も物体側に配置された負レンズと最も像側に配置された正レンズとを有し、以下の条件を満足することを特徴とする。
１．００≦ν２−ν１≦２０．００
ただし、
ν１：前記負レンズの硝材の分散値
ν２：前記正レンズの硝材の分散値
【０００７】
また、本発明に係る撮像装置は、上記フロントコンバータレンズを備えたことを特徴とする。
【０００８】
また、本発明に係るフロントコンバータレンズの製造方法は、マスターレンズの物体側に装着して用いられ、着脱可能なフロントコンバータレンズの製造方法であって、最も物体側に負レンズを配置し最も像側に正レンズを配置し、以下の条件を満足するように構成することを特徴とする。
１．００≦ν２−ν１≦２０．００
ただし、
ν１：前記負レンズの硝材の分散値
ν２：前記正レンズの硝材の分散値
【発明の効果】
【０００９】
本発明によれば、水中での高い光学性能を備えたフロントコンバータレンズ、該フロントコンバータレンズを備えた撮像装置、および該フロントコンバータレンズの製造方法を提供することができる。
【図面の簡単な説明】
【００１０】
【図１】第１実施例に係るマスターレンズの構成を示す断面図である。
【図２】水中において図１のマスターレンズに第１実施例に係るフロントコンバータレンズを装着した状態のレンズ構成を示す断面図である。
【図３】図１のマスターレンズの諸収差であり、（ａ）は陸上使用時、（ｂ）は水中使用時を示している。
【図４】図２の光学系の諸収差図である。
【図５】第２実施例に係るマスターレンズの構成を示す断面図である。
【図６】水中において図５のマスターレンズに第２実施例に係るフロントコンバータレンズを装着した状態のレンズ構成を示す断面図である。
【図７】図５のマスターレンズの陸上使用時の諸収差図である。
【図８】図６の光学系の諸収差図である。
【図９】第３実施例に係るマスターレンズの構成を示す断面図である。
【図１０】水中において図９のマスターレンズに第３実施例に係るフロントコンバータレンズを装着した状態のレンズ構成を示す断面図である。
【図１１】図９のマスターレンズの陸上使用時の諸収差図である。
【図１２】図１０の光学系の諸収差図である。
【図１３】第４実施例に係るマスターレンズの構成を示す断面図である。
【図１４】水中において図１３のマスターレンズに第４実施例に係るフロントコンバータレンズを装着した状態のレンズ構成を示す断面図である。
【図１５】図１３のマスターレンズの諸収差であり、（ａ）は陸上使用時、（ｂ）は水中使用時を示している。
【図１６】図１４の光学系の諸収差図である。
【図１７】第５実施例に係るマスターレンズの構成を示す断面図である。
【図１８】水中において図１７のマスターレンズに第５実施例に係るフロントコンバータレンズを装着した状態のレンズ構成を示す断面図である。
【図１９】図１７のマスターレンズの陸上使用時の諸収差図である。
【図２０】図１８の光学系の諸収差図である。
【図２１】本発明に係るフロントコンバータレンズを装着した撮像装置の構成を示す図である。
【図２２】本発明に係るフロントコンバータレンズの製造方法の概略を示すフロー図である。
【発明を実施するための形態】
【００１１】
以下、本発明に係るフロントコンバータレンズ、撮像装置、およびフロントコンバータレンズの製造方法について説明する。なお、本明細書において「陸上」とは、空気中のことをいう。
【００１２】
まず、本発明に係るフロントコンバータレンズについて説明する。本発明に係るフロントコンバータレンズは、マスターレンズの物体側に装着して用いられ、着脱可能なフロントコンバータレンズであって、最も物体側に配置された負レンズと最も像側に配置された正レンズとを有している。
【００１３】
このように最も物体側に負レンズを配置することにより、歪曲収差を良好に補正することができる。特に本発明に係るフロントコンバータレンズを水中で用いた場合に、水中で発生する歪曲収差を良好に補正することができる。
【００１４】
また、このような構成のもと、本発明に係るフロントコンバータレンズは、以下の条件式（１）を満足することにより、水中での高い光学性能を実現できる。
（１）１．００≦ν２−ν１≦２０．００
ただし、
ν１：前記負レンズの硝材の分散値
ν２：前記正レンズの硝材の分散値
【００１５】
条件式（１）は、前記負レンズの硝材の分散値と前記正レンズの硝材の分散値との差を規定する条件式である。条件式（１）を満足することにより、色収差を良好に補正することができる。特に、フロントコンバータレンズを水中で用いた場合に、水中での分散によって発生する色収差を良好に補正することができる。
【００１６】
条件式（１）の対応値が上限値を上回ると、陸上での使用および水中での使用の何れにおいても色収差の補正が困難になり、好ましくない。なお、本発明の効果を確実にするために、条件式（１）の上限値を１０．００にすることが好ましい。
【００１７】
条件式（１）の対応値が下限値を下回ると、陸上での使用および水中での使用の何れにおいても色収差の補正が困難になり、好ましくない。なお、本発明の効果を確実にするために、条件式（１）の下限値を２．００にすることが好ましい。
【００１８】
また、本発明に係るフロントコンバータレンズは、次の条件式（２）を満足することが望ましい。
（２）｜ｆＣｎ／ｆＭ｜≦５．００
ただし、
ｆＣｎ：空気中における前記負レンズの焦点距離
ｆＭ：空気中における前記マスターレンズの焦点距離（ただし、前記マスターレンズがズームレンズの場合には、空気中における広角端状態での焦点距離）
【００１９】
条件式（２）は、前記負レンズの焦点距離と前記マスターレンズの焦点距離（ただし、前記マスターレンズがズームレンズの場合には、空気中における広角端状態での焦点距離）の比の適切な範囲を規定する条件式である。条件式（２）を満足することにより、前記負レンズおよび前記マスターレンズの焦点距離を適正化でき、水中における画角を陸上での画角以上に広げることができる。
【００２０】
条件式（２）の対応値が上限値を上回ると、ワイドコンバータレンズとしての働きが弱くなってしまい、好ましくない。
【００２１】
また、条件式（２）の下限値を２．００とすることにより、歪曲収差を良好に補正することができる。条件式（２）の対応値が下限値を下回ると、前記負レンズのパワーが強くなり、特に歪曲収差や像面湾曲に悪影響を及ぼし、好ましくない。
【００２２】
また、本発明に係るフロントコンバータレンズは、物体の周囲媒質は水であり、前記負レンズの物体側の面および前記正レンズの像側の面が水に接して用いられることが望ましい。このような状態で使用されることにより、高い光学性能を発揮することができる。
【００２３】
また、本発明に係るフロントコンバータレンズは、以下の条件式（３）を満足することが望ましい。
（３）−０．１５≦ＴＬ／ｆＣ≦０．１５
ただし、
ＴＬ：前記フロントコンバータレンズの最も物体側のレンズ面から最も像側のレンズ面までの光軸上の距離
ｆＣ：水中における前記フロントコンバータレンズの焦点距離
【００２４】
条件式（３）は、フロントコンバータレンズの全長、すなわちフロントコンバータレンズの最も物体側のレンズ面から最も像側のレンズ面までの光軸上の距離と、水中におけるフロントコンバータレンズの焦点距離の比の適切な範囲を規定し、水中におけるフロントコンバータレンズ全系の焦点距離が略アフォーカル系であることを規定する条件式である。条件式（３）を満足することにより、マスターレンズへの諸収差の影響を最小限に抑え、水中での高い光学性能を実現できる。
【００２５】
条件式（３）の対応値が上限値を上回ると、マスターレンズへの諸収差の影響が大きくなり、好ましくない。なお、本発明の効果を確実にするために、条件式（３）の上限値を０．１０にすることが好ましい。
【００２６】
また、条件式（３）の対応値が下限値を下回ると、マスターレンズへの諸収差の影響が大きくなり、好ましくない。なお、本発明の効果を確実にするために、条件式（３）の下限値を−０．１０にすることが好ましい。
【００２７】
また、本発明に係るフロントコンバータレンズは、以下の条件式（４）を満足することが望ましい。
（４）０．４＜Ｄair／ＴＬ＜０．７
ただし、
ＴＬ：前記フロントコンバータレンズの最も物体側のレンズ面から最も像側のレンズ面までの光軸上の距離
Ｄair：前記フロントコンバータレンズを構成するレンズ間の光軸上の空気間隔の合計
【００２８】
条件式（４）は、フロントコンバータレンズを構成するレンズ間の光軸上の空気間隔の合計と、フロントコンバータレンズの全長、すなわちフロントコンバータレンズの最も物体側のレンズ面から最も像側のレンズ面までの光軸上の距離の比の適切な範囲を規定する条件式である。水中では正の歪曲収差が大きく発生するので、最も物体側に配置された負レンズと最も像側に配置された正レンズとにある程度の間隔を持たせることにより、負の歪曲収差を発生させる最も物体側に配置された前記負レンズの効果を有効に発揮させることができる。
【００２９】
条件式（４）の対応値が上限値を上回ると、フロントコンバータレンズを構成するレンズの厚さが薄くなりすぎ、水圧に耐えられなくなってしまい、好ましくない。あるいは、フロントコンバータレンズを構成するレンズの厚さを確保すると、フロントコンバータレンズが大型化してしまい、好ましくない。
【００３０】
また、条件式（４）の対応値が下限値を下回ると、フロントコンバータレンズを構成するレンズ同士の間隔が詰まってしまう。その結果、前記負レンズの効果が小さくなり、歪曲収差の補正が困難になってしまい、好ましくない。
【００３１】
また、本発明に係る撮像装置は、上述した構成のフロントコンバータレンズを有することを特徴とする。これにより、水中においても高い光学性能を備えた光学装置を実現することができる。
【００３２】
また、本発明に係るフロントコンバータレンズの製造方法は、マスターレンズの物体側に装着して用いられ、着脱可能なフロントコンバータレンズでの製造方法あって、最も物体側に負レンズを配置し最も像側に正レンズを配置し、以下の条件式（１）を満足するように構成することを特徴とする。
（１）１．００≦ν２−ν１≦２０．００
ただし、
ν１：前記負レンズの硝材の分散値
ν２：前記正レンズの硝材の分散値
【００３３】
斯かるフロントコンバータレンズの製造方法により、水中での高い光学性能を備えたフロントコンバータレンズを製造することができる。
【００３４】
（数値実施例）
以下、本発明に係るフロントコンバータレンズの数値実施例を添付図面に基づいて説明する。
【００３５】
（第１実施例）
図１は、本発明の第１実施例に係るフロントコンバータレンズＦＣ１が装着されるマスターレンズＭＬ１のレンズ構成を示す断面図である。本実施例に係るマスターレンズＭＬ１は、単焦点レンズである。
【００３６】
図１に示すように、フロントコンバータレンズＦＣ１が装着されるマスターレンズＭＬ１は、光軸に沿って物体側から順に、像側に凸面を向けた平凸レンズＬ１と、物体側に凸面を向けた負メニスカスレンズＬ２と、物体側に凸面を向けた正メニスカスレンズＬ３と、フレアカット絞りＦＳと、開口絞りＳと、フレアカット絞りＦＳと、両凹レンズＬ４と両凸レンズＬ５との接合レンズと、両凸レンズＬ６と、像面Ｉの近傍に配置されたフィルタ群ＦＬとから構成されている。
【００３７】
マスターレンズＭＬ１は、負メニスカスレンズＬ２の像側の面および両凸レンズＬ６の像側の面が非球面形状となっている。また、負メニスカスレンズＬ２と、正メニスカスレンズＬ３と、フレアカット絞りＦＳと、開口絞りＳと、フレアカット絞りＦＳと、両凹レンズＬ４と両凸レンズＬ５との接合レンズと、両凸レンズＬ６とが一体となって光軸方向に移動することにより、無限遠物体から近距離物体に合焦する。
【００３８】
図２は、水中においてマスターレンズＭＬ１に第１実施例に係るフロントコンバータレンズＦＣ１が装着された状態の光学系全系のレンズ構成を示す断面図である。
【００３９】
図２に示すように、本実施例に係るフロントコンバータレンズＦＣ１は、光軸に沿って物体側から順に、物体側に凸面を向けた負メニスカスレンズＧ１と、両凸レンズＧ２とから構成されている。
【００４０】
また、本実施例に係るフロントコンバータレンズＦＣ１は、図２に示すように、水中使用時においては、負メニスカスレンズＧ１の物体側の面および両凸レンズＧ２の像側の面が、何れも周囲媒質である水に接している。すなわち、水中使用時においては、両凸レンズＧ２の像側の面とマスターレンズＭＬ１の平凸レンズＬ１の物体側の面との間には、水が介在している。
【００４１】
本実施例に係るフロントコンバータレンズＦＣ１は、陸上においてでも水中においてでもマスターレンズＭＬ１に着脱することができるようになっている。フロントコンバータレンズＦＣ１を陸上でマスターレンズＭＬ１に装着し、フロントコンバータレンズＦＣ１が装着されたマスターレンズＭＬ１を水中に入れると、両凸レンズＧ２とマスターレンズＭＬ１の平凸レンズＬ１との間に水が入るようになっている。なお、負メニスカスレンズＧ１の像側の面と両凸レンズＧ２の物体側の面との間には水は入らず、空気が介在している。
【００４２】
以下の表１にマスターレンズＭＬ１に本実施例に係るフロントコンバータレンズＦＣ１を装着した状態の光学系全系の諸元値を掲げる。
【００４３】
表１中の［面データ］において、面番号は物体側から数えたレンズ面の順番、ｒはレンズ面の曲率半径、ｄはレンズ面の間隔、ｎｄはｄ線（波長λ＝５８７．６ｎｍ）に対する屈折率、νｄはｄ線（波長λ＝５８７．６ｎｍ）に対するアッベ数をそれぞれ示している。また、物面は物体面、（Ｓ）は開口絞りＳ、（ＦＳ）はフレアカット絞りＦＳ、像面は像面Ｉをそれぞれ示している。なお、曲率半径ｒ＝∞は平面を示し、空気の屈折率ｄ＝1．00000の記載は省略している。また、レンズ面が非球面である場合には面番号に＊印を付して曲率半径ｒの欄には近軸曲率半径を示している。
【００４４】
［非球面データ］には、［面データ］に示した非球面について、その形状を次式で表した場合の近軸曲率半径ｒ、円錐定数κ、および非球面係数Ａ４〜Ａ１０を示す。
ｘ＝（ｈ2／ｒ）／［１＋｛１−κ（ｈ／ｒ）2｝1／2］＋Ａ４ｈ4＋Ａ６ｈ6＋Ａ８ｙ8＋Ａ１０ｈ10
ここで、ｘは、面の頂点を基準としたときの光軸からの高さｈの位置での光軸方向の変位である。また、「Ｅ−ｎ」は「×１０−ｎ」を示し、例えば、「１．２３４Ｅ−０５」は、「１．２３４×１０−5」を示す。
【００４５】
［各種データ］において、ｆはフロントコンバータレンズＦＣ１をマスターレンズＭＬ１に装着した状態の水中における光学系全系の合成焦点距離、ｆＣは水中におけるフロントコンバータレンズＦＣ１の焦点距離、ＴＬはフロントコンバータレンズの全長すなわちフロントコンバータレンズの最も物体側のレンズ面から最も像側のレンズ面までの光軸上の距離、ｆＣｎはフロントコンバータレンズＦＣ１の最も物体側に配置された負レンズの空気中における焦点距離、ｆＭは空気中におけるマスターレンズＭＬ１の焦点距離（ただし、マスターレンズがズームレンズの場合には、空気中における広角端状態での焦点距離）、ＦＮＯはフロントコンバータレンズＦＣ１をマスターレンズＭＬに装着した状態の水中における光学系全系のＦナンバー、２ωは画角（単位：「°」）、ν１はフロントコンバータレンズＦＣ１の最も物体側に配置された負レンズの硝材の分散値、ν２はフロントコンバータレンズＦＣ１の最も像側に配置された正レンズの硝材の分散値、ＢＦは空気換算バックフォーカス、ＤairはフロントコンバータレンズＦＣ１を構成するレンズ間の光軸上の空気間隔の合計をそれぞれ示す。
【００４６】
［可変間隔データ］において、ｆｍは空気中におけるマスターレンズ系の焦点距離、ｄｉは面番号ｉでの可変間隔の値をそれぞれ示す。
【００４７】
［条件式対応値］は各条件式の対応値をそれぞれ示す。
【００４８】
ここで、表１に記載されている焦点距離ｆや曲率半径ｒ、およびその他長さの単位は一般に「ｍｍ」が使われる。しかしながら光学系は、比例拡大または比例縮小しても同等の光学性能が得られるため、これに限られるものではない。
【００４９】
なお、以上に述べた表１の符号は、後述する各実施例の表においても同様に用いるものとする。
【００５０】
（表１）第１実施例
［面データ］
面番号          ｒ           ｄ         ｎｄ       νｄ
物面          ∞                    1.333060    53.98
1)         275.0000     5.0000    1.834000    37.18
2)          35.0000    15.0000
3)          38.7000     8.0000    1.548140    45.51
4)        −91.6224     3.0000    1.333060    53.98
5)          ∞          5.0000    1.516800    63.88
6)       −178.0000     3.5700
7)          24.2548     1.2000    1.583126    59.38
＊8)           4.6949     3.7000
9)           9.3610     2.9000    1.749500    35.27
10)         307.8348     0.3000
11) (ＦＳ)   ∞          1.7000
12) (絞り)   ∞          1.3700
13) (ＦＳ)   ∞          0.9000
14)         −9.2376     1.0000    1.808090    22.79
15)          70.0310     2.7000    1.755000    52.29
16)        −10.9860     0.4000
17)          25.6611     2.9500    1.592010    67.05
＊18)        −12.9991    10.7544
19)          ∞          0.5000    1.516330    64.14
20)          ∞          1.1100
21)          ∞          1.5900    1.516330    64.14
22)          ∞          0.3000
23)          ∞          0.7000    1.516330    64.14
24)          ∞          0.7000
像面          ∞
［非球面データ］
面番号：8
κ  =  0.1122
A4 ＝  5.52910E−04
A6 ＝  3.73730E−06
A8 ＝  3.27460E−07
A10＝−7.20750E−10
面番号：18
κ  =−10.5680
A4 ＝ −3.93180E−04
A6 ＝   1.42680E−05
A8 ＝ −2.39470E−07
A10＝   1.98280E−09
［各種データ］
ｆ  ＝   7.69
ｆＣ ＝   ∞
ＴＬ ＝  28.00
ｆＣｎ＝−48.55
ｆＭ ＝  10.29
ＦＮＯ＝   2.94
２ω ＝  74.87
ν１ ＝  37.18
ν２ ＝  45.51
ＢＦ ＝  15.65
Ｄair ＝  15.00
［条件式対応値］
（１）ν２−ν１＝8.33
（２）｜ｆＣｎ／ｆＭ｜＝4.72
（３）ＴＬ／ｆＣ＝0.00
（４）Ｄair／ＴＬ＝0.54
【００５１】
図３は図１に示すマスターレンズＭＬ１の諸収差図であり、（ａ）は陸上使用時の諸収差を、（ｂ）は水中使用時の諸収差をそれぞれ示している。また、図４は図２に示す光学系、すなわちフロントコンバータレンズＦＣ１がマスターレンズＭＬ１に装着された状態の光学系全系の水中使用時の諸収差図である。
【００５２】
各収差図において、ＦＮＯはＦナンバーを、Ａは半画角（単位：度）を、ＮＡは開口数を、ＨＯは物体高をそれぞれ示している。また、図中のｄはｄ線（波長λ＝５８７．６ｎｍ）での収差曲線を示し、ｇはｇ線（波長λ＝４３５．８ｎｍ）での収差曲線を示し、記載のないものはｄ線での収差曲線を示す。非点収差を示す収差図において実線はサジタル像面を示し、破線はメリディオナル像面を示している。コマ収差を示す収差図は、マスターレンズＭＬに関しては、各半画角において、ｄ線およびｇ線に対するメリディオナルコマ収差を表し、フロントコンバータレンズＦＣ１をマスターレンズＭＬ１に装着した状態の光学系全系に関しては、各物体高において、ｄ線およびｇ線に対するメリディオナルコマ収差を表している。なお、以下に示す各実施例の諸収差図においても、本実施例と同様の符号を用いる。
【００５３】
マスターレンズＭＬ１は、図３（ａ）に示すように、陸上において諸収差が良好に補正され、優れた結像性能を有していることがわかる。しかし、水中においては、図３（ｂ）に示すように、諸収差が大きく変動し劣化することがわかる。
【００５４】
しかし、図４に示すように、フロントコンバータレンズＦＣ１をマスターレンズＭＬ１に装着することにより、フロントコンバータレンズＦＣ１がマスターレンズＭＬ１に装着された状態の光学系全系は、水中において諸収差が良好に補正され、優れた結像性能を有していることがわかる。
【００５５】
（第２実施例）
次に、本発明の第２実施例について説明する。図５は、本発明の第２実施例に係るフロントコンバータレンズＦＣ２が装着されるマスターレンズＭＬ２のレンズ構成を示す断面図である。本実施例に係るマスターレンズＭＬ２は、単焦点レンズである。
【００５６】
図５に示すように、フロントコンバータレンズＦＣ２が装着されるマスターレンズＭＬ２は、光軸に沿って物体側から順に、平行平板ＰＦと、両凸レンズＬ１と、物体側に凸面を向けた負メニスカスレンズＬ２と、物体側に凸面を向けた正メニスカスレンズＬ３と、フレアカット絞りＦＳと、開口絞りＳと、フレアカット絞りＦＳと、両凹レンズＬ４と両凸レンズＬ５との接合レンズと、両凸レンズＬ６と、像面Ｉの近傍に配置されたフィルタ群ＦＬとから構成されている。
【００５７】
マスターレンズＭＬ２は、負メニスカスレンズＬ２の像側の面および両凸レンズＬ６の像側の面が非球面形状となっている。また、負メニスカスレンズＬ２と、正メニスカスレンズＬ３と、フレアカット絞りＦＳと、開口絞りＳと、フレアカット絞りＦＳと、両凹レンズＬ４と両凸レンズＬ５との接合レンズと、両凸レンズＬ６とが一体となって光軸方向に移動することにより、無限遠物体から近距離物体に合焦する。
【００５８】
図６は、水中においてマスターレンズＭＬ２に第２実施例に係るフロントコンバータレンズＦＣ２が装着された状態の光学系全系のレンズ構成を示す断面図である。
【００５９】
図６に示すように、本実施例に係るフロントコンバータレンズＦＣ２は、光軸に沿って物体側から順に、物体側に凸面を向けた負メニスカスレンズＧ１と、両凸レンズＧ２とから構成されている。
【００６０】
また、本実施例に係るフロントコンバータレンズＦＣ２は、図６に示すように、水中使用時においては、負メニスカスレンズＧ１の物体側の面および両凸レンズＧ２の像側の面が、何れも周囲媒質である水に接している。すなわち、水中使用時においては、両凸レンズＧ２の像側の面とマスターレンズＭＬ２の平行平板ＰＦの物体側の面との間には、水が介在している。
【００６１】
本実施例に係るフロントコンバータレンズＦＣ２は、第１実施例と同様に、陸上においてでも水中においてでもマスターレンズＭＬ２に着脱することができるようになっている。フロントコンバータレンズＦＣ２を陸上でマスターレンズＭＬ２に装着し、フロントコンバータレンズＦＣ２が装着されたマスターレンズＭＬ２を水中に入れると、両凸レンズＧ２とマスターレンズＭＬ２の平行平板ＰＦとの間に水が入るようになっている。なお、負メニスカスレンズＧ１の像側の面と両凸レンズＧ２の物体側の面との間には水は入らず、空気が介在している。
【００６２】
以下の表２にマスターレンズＭＬ２に本実施例に係るフロントコンバータレンズＦＣ２を装着した状態の光学系全系の諸元値を掲げる。
【００６３】
（表２）第２実施例
［面データ］
面番号          ｒ           ｄ         ｎｄ       νｄ
物面          ∞                    1.333060    53.98
1)         285.6000     5.0000    1.834810    42.73
2)          35.1304    15.0000
3)          36.2800     9.0000    1.517420    52.20
4)        −82.0149     5.0000    1.333060    53.98
5)          ∞          2.0000    1.522160    58.80
6)          ∞          1.2000
7)         345.8009     1.2000    1.603000    65.47
8)       −345.8009     2.3084
9)          24.2548     1.2000    1.583126    59.38
＊10)           4.6949     3.7000
11)           9.3610     2.9000    1.749500    35.27
12)         307.8348     0.3000
13) (ＦＳ)   ∞          1.7000
14) (絞り)   ∞          1.4000
15) (ＦＳ)   ∞          0.9000
16)         −9.2376     1.0000    1.808090    22.79
17)          70.0310     2.7000    1.755000    52.29
18)        −10.9860     0.4000
19)          25.6611     2.9500    1.592010    67.05
＊20)        −12.9991    10.7049
21)          ∞          0.5000    1.516330    64.14
22)          ∞          1.1100
23)          ∞          1.5900    1.516330    64.14
24)          ∞          0.3000
25)          ∞          0.7000    1.516330    64.14
26)          ∞          0.7000
像面          ∞
［非球面データ］
面番号：10
κ  =  0.1122
A4 ＝  5.52910E−04
A6 ＝  3.73730E−06
A8 ＝  3.27460E−07
A10＝−7.20750E−10
面番号：20
κ  =−10.5680
A4 ＝ −3.93180E−04
A6 ＝   1.42680E−05
A8 ＝ −2.39470E−07
A10＝   1.98280E−09
［各種データ］
ｆ  ＝   7.68
ｆＣ ＝   ∞
ＴＬ ＝  29.00
ｆＣｎ＝−48.42
ｆＭ ＝  10.29
ＦＮＯ＝   2.93
２ω ＝  75.12
ν１ ＝  42.73
ν２ ＝  52.20
ＢＦ ＝  15.60
Ｄair  =  15.00
［条件式対応値］
（１）ν２−ν１＝9.47
（２）｜ｆＣｎ／ｆＭ｜＝4.71
（３）ＴＬ／ｆＣ＝0.00
（４）Ｄair／ＴＬ＝0.52
【００６４】
図７は図５に示すマスターレンズＭＬ２の陸上使用時の諸収差を示している。また、図８は図６に示す光学系、すなわちフロントコンバータレンズＦＣ２がマスターレンズＭＬ２に装着された状態の光学系全系の水中使用時の諸収差図である。
【００６５】
マスターレンズＭＬ２は、図７に示すように、陸上において諸収差が良好に補正され、優れた結像性能を有していることがわかる。しかし、水中においては、第１実施例のマスターレンズＭＬ１と同様に、諸収差が大きく変動し劣化する。
【００６６】
しかし、図８に示すように、フロントコンバータレンズＦＣ２をマスターレンズＭＬ２に装着することにより、フロントコンバータレンズＦＣ２がマスターレンズＭＬ２に装着された状態の光学系全系は、水中において諸収差が良好に補正され、優れた結像性能を有していることがわかる。
【００６７】
（第３実施例）
次に、本発明の第３実施例について説明する。図９は、本発明の第３実施例に係るフロントコンバータレンズＦＣ３が装着されるマスターレンズＭＬ３のレンズ構成を示す断面図である。本実施例に係るマスターレンズＭＬ３は、ズームレンズである。
【００６８】
図９に示すように、フロントコンバータレンズＦＣ３が装着されるマスターレンズＭＬ３は、光軸に沿って物体側から順に、平行平板ＰＦと、複数のレンズを有する前群ＧＦと、複数のレンズを有する後群ＧＲと、像面Ｉの近傍に配置されたフィルタ群ＦＬとから構成されている。
【００６９】
前群ＧＦは、光軸に沿って物体側から順に、物体側に凸面を向けた負メニスカスレンズＬ１と、両凹レンズＬ２と、物体側に凸面を向けた正メニスカスレンズＬ３とから構成されている。
【００７０】
後群ＧＲは、開口絞りＳと、両凸レンズＬ４と、両凸レンズＬ５と両凹レンズＬ６との接合レンズと、フレアカット絞りＦＳと、物体側に凸面を向けた負メニスカスレンズＬ７と両凸レンズＬ８との接合レンズとから構成されている。
【００７１】
マスターレンズＭＬ３は、負メニスカスレンズＬ１の像側の面が非球面形状となっている。また、前群ＧＦが光軸方向に移動することにより、無限遠物体から近距離物体に合焦する。
【００７２】
また、マスターレンズＭＬ３は、変倍の際、前群ＧＦと後群ＧＲとの間隔が変化するように、前群ＧＦと後群ＧＲとが光軸に沿って移動する。なお、図９は、広角端状態を示している。
【００７３】
図１０は、水中においてマスターレンズＭＬ３に第３実施例に係るフロントコンバータレンズＦＣ３が装着された状態の光学系全系のレンズ構成を示す断面図である。
【００７４】
図１０に示すように、本実施例に係るフロントコンバータレンズＦＣ３は、光軸に沿って物体側から順に、物体側に凸面を向けた負メニスカスレンズＧ１と、両凸レンズＧ２とから構成されている。
【００７５】
また、本実施例に係るフロントコンバータレンズＦＣ３は、図１０に示すように、水中使用時においては、負メニスカスレンズＧ１の物体側の面および両凸レンズＧ２の像側の面が、何れも周囲媒質である水に接している。すなわち、水中使用時においては、両凸レンズＧ２の像側の面とマスターレンズＭＬ３の平行平板ＰＦの物体側の面との間には、水が介在している。
【００７６】
本実施例に係るフロントコンバータレンズＦＣ３は、第１実施例と同様に、陸上においてでも水中においてでもマスターレンズＭＬ３に着脱することができるようになっている。フロントコンバータレンズＦＣ３を陸上でマスターレンズＭＬ３に装着し、フロントコンバータレンズＦＣ３が装着されたマスターレンズＭＬ３を水中に入れると、両凸レンズＧ２とマスターレンズＭＬ３の平行平板ＰＦとの間に水が入るようになっている。なお、負メニスカスレンズＧ１の像側の面と両凸レンズＧ２の物体側の面との間には水は入らず、空気が介在している。
【００７７】
以下の表３にマスターレンズＭＬ３に本実施例に係るフロントコンバータレンズＦＣ３を装着した状態の光学系全系の諸元値を掲げる。
【００７８】
（表３）第３実施例
［面データ］
面番号          ｒ            ｄ        ｎｄ       νｄ
物面          ∞                    1.333060    53.98
1)         275.0000     5.0000    1.834000    37.18
2)          35.0000    15.0000
3)          38.7000     8.0000    1.548140    45.51
4)        −91.6224     3.0000    1.333060    53.98
5)          ∞          5.0000    1.516800    63.88
6)          ∞          3.9159
7)          21.1989     1.1000    1.851350    40.10
＊8)           7.5975     4.4100
9)        −52.6643     0.8000    1.497820    82.57
10)          42.3237     0.8400
11)          15.6071     1.6800    1.846660    23.78
12)          32.7790      可変
13) (絞り)   ∞          0.6500
14)          37.1408     1.4700    1.658440    50.84
15)        −29.0801     0.1000
16)           9.6037     2.7600    1.593190    67.90
17)        −14.5302     3.1600    1.744000    44.81
18)           9.7023     0.9380
19) (ＦＳ)   ∞          0.8920
20)          31.5814     0.8000    1.902650    35.73
21)           9.1997     2.7500    1.589130    61.22
22)        −15.6188      可変
23)          ∞          0.5000    1.516800    63.88
24)          ∞          1.1100
25)          ∞          1.5900    1.516800    63.88
26)          ∞          0.3000
27)          ∞          0.7000    1.516800    63.88
28)          ∞          0.7000
像面          ∞
［非球面データ］
面番号：8
κ  =  0.7566
A4 ＝−3.95310E−07
A6 ＝−6.33270E−08
A8 ＝  1.17320E−09
A10＝−1.39090E−11
［各種データ］
ｆ  ＝   8.39
ｆＣ ＝   ∞
ＴＬ ＝  28.00
ｆＣｎ＝−48.55
ｆＭ ＝  11.35
ＦＮＯ＝   3.63
２ω ＝  70.73
ν１ ＝  37.18
ν２ ＝  45.51
ＢＦ ＝  20.04
Ｄair  =  15.00
［可変間隔データ］
最短焦点距離状態  最長焦点距離状態
fm        11.35             26.71
d12       17.42              2.33
d22       15.14             30.22
［条件式対応値］
（１）ν２−ν１＝8.33
（２）｜ｆＣｎ／ｆＭ｜＝4.28
（３）ＴＬ／ｆＣ＝0.00
（４）Ｄair／ＴＬ＝0.54
【００７９】
図１１は図９に示すマスターレンズＭＬ３の陸上使用時の諸収差を示している。また、図１２は図１０に示す光学系、すなわちフロントコンバータレンズＦＣ３がマスターレンズＭＬ３に装着された状態の光学系全系の水中使用時の諸収差図である。
【００８０】
マスターレンズＭＬ３は、図１１に示すように、陸上において諸収差が良好に補正され、優れた結像性能を有していることがわかる。しかし、水中においては、第１実施例のマスターレンズＭＬ１と同様に、諸収差が大きく変動し劣化する。
【００８１】
しかし、図１２に示すように、フロントコンバータレンズＦＣ３をマスターレンズＭＬ３に装着することにより、フロントコンバータレンズＦＣ３がマスターレンズＭＬ３に装着された状態の光学系全系は、水中において諸収差が良好に補正され、優れた結像性能を有していることがわかる。
【００８２】
（第４実施例）
次に、本発明の第４実施例について説明する。図１３は、本発明の第４実施例に係るフロントコンバータレンズＦＣ４が装着されるマスターレンズＭＬ４のレンズ構成を示す断面図である。本実施例に係るマスターレンズＭＬ４は、ズームレンズである。
【００８３】
図１３に示すように、フロントコンバータレンズＦＣ４が装着されるマスターレンズＭＬ４は、光軸に沿って物体側から順に、平行平板ＰＦと、複数のレンズを有する前群ＧＦと、複数のレンズを有する後群ＧＲと、像面Ｉの近傍に配置されたフィルタ群ＦＬとから構成されている。
【００８４】
前群ＧＦは、光軸に沿って物体側から順に、物体側に凸面を向けた負メニスカスレンズＬ１と、両凹レンズＬ２と、物体側に凸面を向けた正メニスカスレンズＬ３とから構成されている。
【００８５】
後群ＧＲは、開口絞りＳと、両凸レンズＬ４と、両凸レンズＬ５と両凹レンズＬ６との接合レンズと、フレアカット絞りＦＳと、物体側に凸面を向けた負メニスカスレンズＬ７と両凸レンズＬ８との接合レンズとから構成されている。
【００８６】
マスターレンズＭＬ４は、負メニスカスレンズＬ１の像側の面が非球面形状となっている。また、前群ＧＦが光軸方向に移動することにより、無限遠物体から近距離物体に合焦する。
【００８７】
また、マスターレンズＭＬ４は、変倍の際、前群ＧＦと後群ＧＲとの間隔が変化するように、前群ＧＦと後群ＧＲとが光軸に沿って移動する。なお、図１３は、広角端状態を示している。
【００８８】
図１４は、水中においてマスターレンズＭＬ４に第４実施例に係るフロントコンバータレンズＦＣ４が装着された状態の光学系全系のレンズ構成を示す断面図である。
【００８９】
図１４に示すように、本実施例に係るフロントコンバータレンズＦＣ４は、光軸に沿って物体側から順に、物体側に凸面を向けた負メニスカスレンズＧ１と両凸レンズＧ２とから構成されている。
【００９０】
また、本実施例に係るフロントコンバータレンズＦＣ４は、図１４に示すように、水中使用時においては、負メニスカスレンズＧ１の物体側の面および両凸レンズＧ２の像側の面が、何れも周囲媒質である水に接している。すなわち、水中使用時においては、両凸レンズＧ２の像側の面とマスターレンズＭＬ４の平行平板ＰＦの物体側の面との間には、水が介在している。
【００９１】
本実施例に係るフロントコンバータレンズＦＣ４は、第１実施例と同様に、陸上においてでも水中においてでもマスターレンズＭＬ４に着脱することができるようになっている。フロントコンバータレンズＦＣ４を陸上でマスターレンズＭＬ４に装着し、フロントコンバータレンズＦＣ４が装着されたマスターレンズＭＬ４を水中に入れると、両凸レンズＧ２とマスターレンズＭＬ４の平行平板ＰＦとの間に水が入るようになっている。なお、負メニスカスレンズＧ１の像側の面と両凸レンズＧ２の物体側の面との間には水は入らず、空気が介在している。
【００９２】
以下の表４にマスターレンズＭＬ４に本実施例に係るフロントコンバータレンズＦＣ４を装着した状態の光学系全系の諸元値を掲げる。
【００９３】
（表４）第４実施例
［面データ］
面番号          ｒ            ｄ        ｎｄ       νｄ
物面          ∞                    1.333060    53.98
1)         285.6000     5.0000    1.834810    42.73
2)          35.1304    15.0000
3)          36.2800     9.0000    1.517420    52.20
4)        −82.0149     5.0000    1.333060    53.98
5)          ∞          2.0000    1.516800    63.88
6)          ∞          3.9293
7)          21.1989     1.1000    1.851350    40.10
＊8)           7.5975     4.4100
9)        −52.6643     0.8000    1.497820    82.57
10)          42.3237     0.8400
11)          15.6071     1.6800    1.846660    23.78
12)          32.7790      可変
13) (絞り)   ∞          0.6500
14)          37.1408     1.4700    1.658440    50.84
15)        −29.0801     0.1000
16)           9.6037     2.7600    1.593190    67.90
17)        −14.5302     3.1600    1.744000    44.81
18)           9.7023     0.9380
19) (ＦＳ)   ∞          0.8920
20)          31.5814     0.8000    1.902650    35.73
21)           9.1997     2.7500    1.589130    61.22
22)        −15.6188      可変
23)          ∞          0.5000    1.516800    63.88
24)          ∞          1.1100
25)          ∞          1.5900    1.516800    63.88
26)          ∞          0.3000
27)          ∞          0.7000    1.516800    63.88
28)          ∞          0.7000
像面          ∞
［非球面データ］
面番号：8
κ  =  0.7566
A4 ＝−3.95310E−07
A6 ＝−6.33270E−08
A8 ＝  1.17320E−09
A10＝−1.39090E−10
［各種データ］
ｆ  ＝   8.38
ｆＣ ＝   ∞
ＴＬ ＝  29.00
ｆＣｎ＝−48.42
ｆＭ ＝  11.35
ＦＮＯ＝   3.63
２ω ＝  72.13
ν１ ＝  42.73
ν２ ＝  52.20
ＢＦ ＝  20.04
Ｄair  =  15.00
［可変間隔データ］
最短焦点距離状態  最長焦点距離状態
fm        11.35             26.71
d12       17.42              2.33
d22       15.14             30.22
［条件式対応値］
（１）ν２−ν１＝9.47
（２）｜ｆＣｎ／ｆＭ｜＝4.27
（３）ＴＬ／ｆＣ＝0.00
（４）Ｄair／ＴＬ＝0.52
【００９４】
図１５は図３に示すマスターレンズＭＬ４の諸収差図であり、（ａ）は陸上使用時の諸収差を、（ｂ）は水中使用時の諸収差をそれぞれ示している。また、図１６は図１４に示す光学系、すなわちフロントコンバータレンズＦＣ４がマスターレンズＭＬ４に装着された状態の光学系全系の水中使用時の諸収差図である。
【００９５】
マスターレンズＭＬ４は、図１５（ａ）に示すように、陸上において諸収差が良好に補正され、優れた結像性能を有していることがわかる。しかし、水中においては、図１５（ｂ）に示すように、諸収差が大きく変動し劣化することがわかる。
【００９６】
さらに、図１６に示すように、フロントコンバータレンズＦＣ４をマスターレンズＭＬ４に装着することにより、フロントコンバータレンズＦＣ４がマスターレンズＭＬ４に装着された状態の光学系全系は、水中において諸収差が良好に補正され、優れた結像性能を有していることがわかる。
【００９７】
（第５実施例）
次に、本発明の第５実施例について説明する。図１７は、本発明の第５実施例に係るフロントコンバータレンズＦＣ５が装着されるマスターレンズＭＬ５のレンズ構成を示す断面図である。本実施例に係るマスターレンズＭＬ５は、単焦点レンズである。
【００９８】
図１７に示すように、フロントコンバータレンズＦＣ５が装着されるマスターレンズＭＬ５は、光軸に沿って物体側から順に、平行平板ＰＦと、両凸レンズＬ１と、物体側に凸面を向けた負メニスカスレンズＬ２と、物体側に凸面を向けた正メニスカスレンズＬ３と、フレアカット絞りＦＳと、開口絞りＳと、フレアカット絞りＦＳと、両凹レンズＬ４と両凸レンズＬ５との接合レンズと、両凸レンズＬ６と、像面Ｉの近傍に配置されたフィルタ群ＦＬとから構成されている。
【００９９】
マスターレンズＭＬ５は、負メニスカスレンズＬ２の像側の面および両凸レンズＬ６の像側の面が非球面形状となっている。また、負メニスカスレンズＬ２と、正メニスカスレンズＬ３と、フレアカット絞りＦＳと、開口絞りＳと、フレアカット絞りＦＳと、両凹レンズＬ４と両凸レンズＬ５との接合レンズと、両凸レンズＬ６とが一体となって光軸方向に移動することにより、無限遠物体から近距離物体に合焦する。
【０１００】
図１８は、水中においてマスターレンズＭＬ５に第５実施例に係るフロントコンバータレンズＦＣ５が装着された状態の光学系全系のレンズ構成を示す断面図である。
【０１０１】
図１８に示すように、本実施例に係るフロントコンバータレンズＦＣ５は、光軸に沿って物体側から順に、両凹レンズＧ１と、物体側に凸面を向けた負メニスカスレンズＧ２と、両凸レンズＧ３とから構成されている。
【０１０２】
また、本実施例に係るフロントコンバータレンズＦＣ５は、図１８に示すように、水中使用時においては、両凹レンズＧ１の物体側の面および両凸レンズＧ３の像側の面が、何れも周囲媒質である水に接している。すなわち、水中使用時においては、両凸レンズＧ３の像側の面とマスターレンズＭＬ５の平行平板ＰＦの物体側の面との間には、水が介在している。
【０１０３】
本実施例に係るフロントコンバータレンズＦＣ５は、第１実施例と同様に、陸上においてでも水中においてでもマスターレンズＭＬ５に着脱することができるようになっている。フロントコンバータレンズＦＣ５を陸上でマスターレンズＭＬ５に装着し、フロントコンバータレンズＦＣ５が装着されたマスターレンズＭＬ５を水中に入れると、両凸レンズＧ３とマスターレンズＭＬ５の平行平板ＰＦとの間に水が入るようになっている。なお、両凹レンズＧ１の像側の面と負メニスカスレンズＧ２の物体側の面と間、および負メニスカスレンズＧ２の像側の面と両凸レンズＧ３の物体側の面との間には水は入らず、空気が介在している。
【０１０４】
以下の表５にマスターレンズＭＬ５に本実施例に係るフロントコンバータレンズＦＣ５を装着した状態の光学系全系の諸元値を掲げる。
【０１０５】
（表５）第５実施例
［面データ］
面番号          ｒ            ｄ        ｎｄ       νｄ
物面          ∞                    1.333060    53.98
1)       −350.0000     5.0000    1.795000    45.31
2)          46.5675     8.5000
3)         107.0000     2.5000    1.804000    46.60
4)          34.4539     8.5000
5)          33.1900     8.5000    1.788000    47.35
6)       −386.8224     5.0000    1.333060    53.98
7)          ∞          2.0000    1.522160    58.80
8)          ∞          1.1910
9)         345.8009     1.2000    1.603000    65.47
10)       −345.8009     2.3540
11)          24.2548     1.2000    1.583126    59.38
＊12)           4.6949     3.7000
13)           9.3610     2.9000    1.749500    35.27
14)         307.8348     0.3000
15)          ∞          1.7000
16)  (絞り)  ∞          1.4000
17)          ∞          0.9000
18)         −9.2376     1.0000    1.808090    22.79
19)          70.0310     2.7000    1.755000    52.29
20)        −10.9860     0.4000
21)          25.6611     2.9500    1.592010    67.05
＊22)        −12.9991    10.6683
23)          ∞          0.5000    1.516330    64.14
24)          ∞          1.1100
25)          ∞          1.5900    1.516330    64.14
26)          ∞          0.3000
27)          ∞          0.7000    1.516330    64.14
28)          ∞          0.7001
像面          ∞
［非球面データ］
面番号：12
κ  =  0.1122
A4 ＝  5.52910E−04
A6 ＝  3.73733E−06
A8 ＝  3.27460E−07
A10＝−7.20750E−10
面番号：22
κ  =−10.5680
A4 ＝ −3.93180E−04
A6 ＝   1.42680E−05
A8 ＝ −2.39470E−07
A10＝   1.98280E−09
［各種データ］
ｆ  ＝   6.88
ｆＣ ＝   ∞
ＴＬ ＝  33.00
ｆＣｎ＝−26.09
ｆＭ ＝  10.29
ＦＮＯ＝   2.93
２ω ＝  88.88
ν１ ＝  45.31
ν２ ＝  47.35
ＢＦ ＝  15.57
Ｄair  =  17.00
［条件式対応値］
（１）ν２−ν１＝2.04
（２）｜ｆＣｎ／ｆＭ｜＝2.54
（３）ＴＬ／ｆＣ＝0.00
（４）Ｄair／ＴＬ＝0.52
【０１０６】
図１９は図１７に示すマスターレンズＭＬ５の陸上使用時の諸収差を示している。また、図２０は図１８に示す光学系、すなわちフロントコンバータレンズＦＣ５がマスターレンズＭＬ５に装着された状態の光学系全系の水中使用時の諸収差図である。
【０１０７】
マスターレンズＭＬ５は、図１９に示すように、陸上において諸収差が良好に補正され、優れた結像性能を有していることがわかる。しかし、水中においては、第１実施例のマスターレンズＭＬ１と同様に、諸収差が大きく変動し劣化する。
【０１０８】
しかし、図２０に示すように、フロントコンバータレンズＦＣ５をマスターレンズＭＬ５に装着することにより、フロントコンバータレンズＦＣ５がマスターレンズＭＬ５に装着された状態の光学系全系は、水中において諸収差が良好に補正され、優れた結像性能を有していることがわかる。
【０１０９】
以上説明したように、上記各実施例によれば、水中での高い光学性能を備えたフロントコンバータレンズを実現することができる。
【０１１０】
なお、上記各実施例においては、各実施例に係るフロントコンバータレンズＦＣを所定のマスターレンズＭＬに装着した例を示しているが、各実施例に係るフロントコンバータレンズＦＣは、他の実施例に係るマスターレンズＭＬに装着することもできる。例えば第１実施例のフロントコンバータレンズＦＣ１を第３実施例に示したマスターレンズＭＬ３に装着することもできる。
【０１１１】
また、本発明のフロントコンバータレンズが装着されるマスターレンズは、レンズ群または部分レンズ群を光軸に垂直な方向の成分を持つように移動させ、または、光軸を含む面内方向に回転移動（揺動）させて、手ブレによって生じる像ブレを補正する防振レンズ群を有していても良い。なお、レンズ群とは、空気間隔で分離された少なくとも１枚のレンズを有する部分を示す。
【０１１２】
例えば、単焦点レンズである第１、第２、第５実施例に係るマスターレンズＭＬ１、ＭＬ２、ＭＬ５においては、両凹レンズＬ４と両凸レンズＬ５との接合レンズと、両凸レンズＬ６との何れか一方、または、両凹レンズＬ４と両凸レンズＬ５との接合レンズと、両凸レンズＬ６との全体を防振レンズ群としても良い。
【０１１３】
また、例えば、ズームレンズである第３、第４実施例に係るマスターレンズＭＬ３、ＭＬ４においては、後群ＧＲの全体または一部を防振レンズ群としても良い。後群ＧＲの一部を防振レンズ群とする場合は、例えば両凸レンズＬ４、または負メニスカスレンズＬ７と両凸レンズＬ８との接合レンズを防振レンズ群としても良い。
【０１１４】
また、以下に記載の内容は、光学性能を損なわない範囲で適宜採用可能である。
【０１１５】
レンズ面は、球面または平面で形成されても、非球面で形成されても構わない。レンズ面が球面または平面の場合、レンズ加工及び組立調整が容易になり、加工及び組立調整の誤差による光学性能の劣化を防げるので好ましい。また、像面がずれた場合でも描写性能の劣化が少ないので好ましい。
【０１１６】
レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としても良く、レンズを屈折率分布型レンズ（ＧＲＩＮレンズ）あるいはプラスチックレンズとしても良い。
【０１１７】
また、各レンズ面には、フレアやゴーストを軽減し高コントラストの高い光学性能を達成するために、広い波長域で高い透過率を有する反射防止膜を施しても良い。
【０１１８】
次に、本発明のフロントコンバータレンズＦＣを備えた光学装置について説明する。
【０１１９】
図２１は、本発明に係るフロントコンバータレンズＣＬを備えたカメラの構成を示す図である。カメラ１は、図２１に示すように撮影レンズ２を備えたレンズ交換式の所謂ミラーレスカメラである。撮影レンズ２は、上述の第１実施例に係るフロントコンバータレンズＦＣ１が装着されたマスターレンズＭＬ１である。カメラ１において、不図示の水中の物体（被写体）からの光は、撮影レンズ２で集光されて、不図示の光学ローパスフィルタを介して撮像部３の撮像面上に被写体像を形成する。そして、撮像部３に設けられた光電変換素子により被写体像が光電変換されて被写体の画像が生成される。この画像は、カメラ１に設けられた電子ビューファインダ４に表示される。これにより撮影者は、電子ビューファインダ４を介して被写体を観察することができる。
【０１２０】
撮影者によって不図示のレリーズボタンが押されると、撮像部３により光電変換された画像が不図示のメモリに記憶される。このようにして、撮影者は本カメラ１による被写体の撮影を行うことができる。
【０１２１】
以上の構成により、本発明に係るフロントコンバータレンズＦＣを備えたカメラ１は、水中での高い光学性能を実現することができる。なお、本実施形態では、ミラーレスカメラの例を説明したが、カメラ本体にクイックリターンミラーを有しファインダー光学系により被写体を観察する一眼レフタイプのカメラに本発明に係るフロントコンバータレンズＦＣを装着した場合でも、上記カメラ１と同様の効果を奏することができる。また、他の実施例に係るフロントコンバータレンズＦＣが装着されたものであっても良い。
【０１２２】
次に、本発明のフロントコンバータレンズＦＣの製造方法について説明する。
【０１２３】
図２２は、本発明のフロントコンバータレンズＦＣの製造方法の概略を示す図である。本発明のフロントコンバータレンズＦＣの製造方法は、マスターレンズの物体側に装着して用いられ、着脱可能なフロントコンバータレンズでの製造方法あって、図２２に示すように、以下の各ステップＳ１〜Ｓ２を含むものである。
ステップＳ１：最も物体側に負レンズを配置し、最も像側に正レンズを配置する。
ステップＳ２：以下の条件式（１）を満足するように構成する。
（１）１．００≦ν２−ν１≦２０．００
ただし、
ν１：前記負レンズの硝材の分散値
ν２：前記正レンズの硝材の分散値
【０１２４】
斯かる本発明のフロントコンバータレンズの製造方法によれば、水中での高い光学性能を備えたフロントコンバータレンズを製造することができる。
【符号の説明】
【０１２５】
ＭＬ  マスターレンズ
ＦＣ  フロントコンバータレンズ
ＦＳ  フレアカット絞り
Ｓ  開口絞り
ＧＦ  前群
ＧＲ  後群
Ｉ  像面
１  カメラ
２  撮影レンズ
３  撮像部
４  電子ビューファインダ
【図１】
2015106025.tif 000003
【図２】
2015106025.tif 000004
【図３】
2015106025.tif 000005
【図４】
2015106025.tif 000006
【図５】
2015106025.tif 000007
【図６】
2015106025.tif 000008
【図７】
2015106025.tif 000009
【図８】
2015106025.tif 000010
【図９】
2015106025.tif 000011
【図１０】
2015106025.tif 000012
【図１１】
2015106025.tif 000013
【図１２】
2015106025.tif 000014
【図１３】
2015106025.tif 000015
【図１４】
2015106025.tif 000016
【図１５】
2015106025.tif 000017
【図１６】
2015106025.tif 000018
【図１７】
2015106025.tif 000019
【図１８】
2015106025.tif 000020
【図１９】
2015106025.tif 000021
【図２０】
2015106025.tif 000022
【図２１】
2015106025.tif 000023
【図２２】
2015106025.tif 000024